(57)【要約】【課題】ユーザーに煩雑な操作を課すことなく、携帯表示端末において自動的に切り替えられる各表示画像を漏れなく読み取ることが可能となる画像読取装置及び画像読取方法を提供する。【解決手段】モード設定ボタンが操作され、且つ、スキャン開始指示が入力されると、読取制御部は、画像読取モジュールのスキャン周期Ｔｓを携帯表示端末における表示画像の表示周期Ｔｄよりも短いスキャン周期に設定して画像読取モジュール１７に繰り返し表示画像をスキャンさせる。そして、重複画像抽出部は、このスキャンごとに得られる複数のスキャン画像を記憶部に保存し、保存される複数のスキャン画像の中から互いに重複する複数の重複スキャン画像を抽出する。出力画像生成部は、抽出した複数の重複スキャン画像の中から１のスキャン画像を選択して出力画像を生成する。【選択図】図５
2015027013.tif 000002
【特許請求の範囲】
【請求項１】
携帯表示端末において所定の表示周期で自動的に切り替えられる表示画像を光学的にスキャンして読み取る画像読取手段と、
前記画像読取手段のスキャン周期を前記表示周期よりも短い第１の周期に設定して前記画像読取手段に繰り返し前記携帯表示端末の表示画像をスキャンさせる読取制御手段と、
前記読取制御手段の読取制御によって前記スキャン周期ごとに得られる複数のスキャン画像を記憶する記憶手段と、
前記記憶手段に保存される複数のスキャン画像の中から互いに重複する複数の重複スキャン画像を抽出する重複画像抽出手段と、
前記重複画像抽出手段によって抽出される複数の重複スキャン画像の中から１のスキャン画像を選択して出力画像を生成する出力画像生成手段と、
を備えることを特徴とする画像読取装置。
【請求項２】
前記重複画像抽出手段及び前記出力画像生成手段は、前記画像読取手段によるスキャンと並行して動作することを特徴とする請求項１に記載の画像読取装置。
【請求項３】
前記読取制御手段は、前記複数の重複スキャン画像の数に基づいて前記表示周期の推定値を算出し、該推定値に基づいて前記スキャン周期を前記第１の周期から第２の周期に変更することを特徴とする請求項１又は２に記載の画像読取装置。
【請求項４】
前記画像読取手段は、スキャン走行路の往路と復路の双方で画像読み取りが可能であり、
前記読取制御手段は、前記スキャン周期を前記第２の周期に変更した後、前記第２の周期に基づく読取タイミングで前記画像読取手段に往路スキャンと復路スキャンを連続的に行わせ、前記往路スキャンによって得られる往路スキャン画像と、前記復路スキャンによって得られる復路スキャン画像とが互いに重複していないときには前記スキャン周期を前記第２の周期で維持し、前記往路スキャン画像と前記復路スキャン画像とが互いに重複しているときには、前記スキャン周期を前記第２の周期よりも短くすることを特徴とする請求項３に記載の画像読取装置。
【請求項５】
前記読取制御手段は、前記第１の周期で連続的に得られる２つのスキャン画像が互いに重複していないときには前記スキャン周期を前記第１の周期で維持し、前記２つのスキャン画像が互いに重複しているときには前記スキャン周期を前記第１の周期よりも長い第２の周期に変更することを特徴とする請求項１又は２に記載の画像読取装置。
【請求項６】
前記画像読取手段は、スキャン走行路の往路と復路の双方で画像読み取りが可能であり、
前記読取制御手段は、前記スキャン周期を前記第２の周期に変更した後、前記第２の周期に基づく読取タイミングで前記画像読取手段に往路スキャンと復路スキャンを連続的に行わせ、前記往路スキャンによって得られる往路スキャン画像と、前記復路スキャンによって得られる復路スキャン画像とが互いに重複していないときには前記スキャン周期を前記第２の周期よりも短くし、前記往路スキャン画像と前記復路スキャン画像とが互いに重複しているときには前記スキャン周期を前記第２の周期で維持することを特徴とする請求項５に記載の画像読取装置。
【請求項７】
前記画像読取手段は、スキャン走行路の往路と復路の双方で画像読み取りが可能であり、
前記読取制御手段は、前記スキャン周期で前記画像読取手段にスキャンさせるとき、往路スキャンと復路スキャンとを交互に切り替えることを特徴とする請求項１乃至３の何れか一項に記載の画像読取装置。
【請求項８】
前記画像読取手段は、低解像度と高解像度との双方で画像読み取りが可能であり、
前記読取制御手段は、前記画像読取手段が高解像度で読み取ったスキャン画像が前記記憶手段に記憶された後、前記スキャン周期でスキャン画像を取得するときには前記画像読取手段に低解像度で画像読み取りを行わせ、低解像度で取得したスキャン画像に対応する高解像度のスキャン画像が前記記憶手段に記憶されていないとき、前記画像読取手段に高解像度で画像読み取りを行わせることを特徴とする請求項２又は３に記載の画像読取装置。
【請求項９】
前記重複画像抽出手段及び前記出力画像生成手段は、前記携帯表示端末における表示画像の切替えが全て完了した後に動作することを特徴とする請求項１に記載の画像読取装置。
【請求項１０】
前記読取制御手段は、前記複数の重複スキャン画像の数に基づいて前記携帯表示端末の表示画像１枚当たりのスキャン回数を検出し、該スキャン回数の検出後、重複画像抽出手段によって前記スキャン回数を超える数の重複スキャン画像が抽出されたタイミングで前記画像読取手段によるスキャンを終了させることを特徴とする請求項１，２，７〜９の何れか一項に記載の画像読取装置。
【請求項１１】
前記読取制御手段は、前記スキャン周期の変更後のスキャンによって連続的に得られる２つのスキャン画像が前記重複画像抽出手段により互いに重複していると判断されると、前記画像読取手段によるスキャンを終了させることを特徴とする請求項３に記載の画像読取装置。
【請求項１２】
前記読取制御手段は、前記記憶手段にスキャン画像が保存される都度、当該スキャン画像が前記記憶手段に最初に保存された１ページ目のスキャン画像と一致しているか否かを判断し、前記１ページ目のスキャン画像と一致しないスキャン画像の保存が開始された後、前記１ページ目のスキャン画像と一致するスキャン画像が保存されることに伴い、前記画像読取手段によるスキャンを終了させることを特徴とする請求項１乃至１１の何れか一項に記載の画像読取装置。
【請求項１３】
前記重複画像抽出手段は、前記記憶手段に保存された各スキャン画像につき、互いのスキャン画像同士で画像の重複している部分の面積が画像全体に対して占める割合を画像重複度として算出し、該画像重複度に基づいて当該互いのスキャン画像同士が重複しているか否かを判断することを特徴とする請求項１乃至１２の何れか一項に記載の画像読取装置。
【請求項１４】
前記重複画像抽出手段は、前記記憶手段に保存される各スキャン画像が、当該スキャン画像の直前及び直後に読み取られた２つのスキャン画像と画像の重複している部分の面積が画像全体に対して占める割合を第１及び第２の画像重複度としてそれぞれ算出し、前記第１及び第２の画像重複度の和が予め定められた閾値より大きい場合に、当該スキャン画像を破棄することを特徴とする請求項１乃至１３の何れか一項に記載の画像読取装置。
【請求項１５】
携帯表示端末において所定の表示周期で自動的に切り替えられる表示画像を光学的にスキャンして読み取る画像読取手段を備えた画像読取装置の画像読取方法であって、
前記画像読取手段のスキャン周期を前記表示周期よりも短い第１の周期に設定して前記画像読取手段に繰り返し前記携帯表示端末の表示画像をスキャンさせるステップと、
この読取制御によって前記スキャン周期ごとに得られる複数のスキャン画像を記憶するステップと、
記憶される複数のスキャン画像の中から互いに重複する複数の重複スキャン画像を抽出するステップと、
抽出される複数の重複スキャン画像の中から１のスキャン画像を選択して出力画像を生成するステップと、
を備えることを特徴とする画像読取方法。 
【発明の詳細な説明】
【技術分野】
【０００１】
本発明は、画像読取装置および画像読取方法に関し、特に１ページずつ順に表示画像が自動的に切り替えられる携帯表示端末から各ページの表示画像を読み取って出力画像を生成する技術に関する。
【背景技術】
【０００２】
電子ペーパーやスマートフォンなどの携帯表示端末には、各種の情報を表示する表示機能が搭載されている。この表示機能によって表示される画像の印刷物を作成しようとする場合、携帯表示端末の表示画像を画像読取装置で光学的にスキャンして読み取り、該スキャンデータに基づいて印刷を行うことでその印刷物が得られる。
【０００３】
ところで、この種の携帯表示端末の中には、複数ページに亘る一連の文書を所定の周期で自動的にページ切替えしながら表示する自動切替表示機能を有するものがある。このように自動切替表示機能によって各表示画像（各ページ）が自動的に切り替えられる場合、例えば下記特許文献１に示すように、画像読取装置と携帯表示端末とを通信可能に接続し、画像情報やページ数などの原稿情報を携帯表示端末から画像読取装置に送信し、表示画像の切替えを通信によって画像読取装置に指示することが考えられる。
【０００４】
しかしながら、このように携帯表示端末と画像読取装置との間で通信を行わせる構成においては、両機器間で正常に通信を行わせるために、予め通信設定に関する煩雑な操作を行うことが必要となり、利便性が悪いという問題がある。
【先行技術文献】
【特許文献】
【０００５】
【特許文献１】特開２０１０−２５１８３４号公報
【発明の概要】
【発明が解決しようとする課題】
【０００６】
本発明は、上記問題を解決することを課題としており、ユーザーに煩雑な操作を課すことなく、携帯表示端末において自動的に切り替えられる各表示画像を漏れなく読み取ることが可能となる画像読取装置及び画像読取方法を提供することを目的とする。
【課題を解決するための手段】
【０００７】
前記目的を達成するため、請求項１に記載の発明は、携帯表示端末において所定の表示周期で自動的に切り替えられる表示画像を光学的にスキャンして読み取る画像読取手段と、前記画像読取手段のスキャン周期を前記表示周期よりも短い第１の周期に設定して前記画像読取手段に繰り返し前記携帯表示端末の表示画像をスキャンさせる読取制御手段と、前記読取制御手段の読取制御によって前記スキャン周期ごとに得られる複数のスキャン画像を記憶する記憶手段と、前記記憶手段に保存される複数のスキャン画像の中から互いに重複する複数の重複スキャン画像を抽出する重複画像抽出手段と、前記重複画像抽出手段によって抽出される複数の重複スキャン画像の中から１のスキャン画像を選択して出力画像を生成する出力画像生成手段と、を備えることを特徴とする画像読取装置である。
【０００８】
請求項２に記載の発明は、請求項１に記載の画像読取装置において、前記重複画像抽出手段及び前記出力画像生成手段は、前記画像読取手段によるスキャンと並行して動作することを特徴とするものである。
【０００９】
請求項３に記載の発明は、請求項１又は２に記載の画像読取装置において、前記読取制御手段は、前記複数の重複スキャン画像の数に基づいて前記表示周期の推定値を算出し、該推定値に基づいて前記スキャン周期を前記第１の周期から第２の周期に変更することを特徴とするものである。
【００１０】
請求項４に記載の発明は、請求項３に記載の画像読取装置において、前記画像読取手段は、スキャン走行路の往路と復路の双方で画像読み取りが可能であり、前記読取制御手段は、前記スキャン周期を前記第２の周期に変更した後、前記第２の周期に基づく読取タイミングで前記画像読取手段に往路スキャンと復路スキャンを連続的に行わせ、前記往路スキャンによって得られる往路スキャン画像と、前記復路スキャンによって得られる復路スキャン画像とが互いに重複していないときには前記スキャン周期を前記第２の周期で維持し、前記往路スキャン画像と前記復路スキャン画像とが互いに重複しているときには、前記スキャン周期を前記第２の周期よりも短くすることを特徴とするものである。
【００１１】
請求項５に記載の発明は、請求項１又は２に記載の画像読取装置において、前記読取制御手段は、前記第１の周期で連続的に得られる２つのスキャン画像が互いに重複していないときには前記スキャン周期を前記第１の周期で維持し、前記２つのスキャン画像が互いに重複しているときには前記スキャン周期を前記第１の周期よりも長い第２の周期に変更することを特徴とするものである。
【００１２】
請求項６に記載の発明は、請求項５に記載の画像読取装置において、前記画像読取手段は、スキャン走行路の往路と復路の双方で画像読み取りが可能であり、前記読取制御手段は、前記スキャン周期を前記第２の周期に変更した後、前記第２の周期に基づく読取タイミングで前記画像読取手段に往路スキャンと復路スキャンを連続的に行わせ、前記往路スキャンによって得られる往路スキャン画像と、前記復路スキャンによって得られる復路スキャン画像とが互いに重複していないときには前記スキャン周期を前記第２の周期よりも短くし、前記往路スキャン画像と前記復路スキャン画像とが互いに重複しているときには前記スキャン周期を前記第２の周期で維持することを特徴とするものである。
【００１３】
請求項７に記載の発明は、請求項１乃至３の何れか一項に記載の画像読取装置において、前記画像読取手段は、スキャン走行路の往路と復路の双方で画像読み取りが可能であり、前記読取制御手段は、前記スキャン周期で前記画像読取手段にスキャンさせるとき、往路スキャンと復路スキャンとを交互に切り替えることを特徴とするものである。
【００１４】
請求項８に記載の発明は、請求項２又は３に記載の画像読取装置において、前記画像読取手段は、低解像度と高解像度との双方で画像読み取りが可能であり、前記読取制御手段は、前記画像読取手段が高解像度で読み取ったスキャン画像が前記記憶手段に記憶された後、前記スキャン周期でスキャン画像を取得するときには前記画像読取手段に低解像度で画像読み取りを行わせ、低解像度で取得したスキャン画像に対応する高解像度のスキャン画像が前記記憶手段に記憶されていないとき、前記画像読取手段に高解像度で画像読み取りを行わせることを特徴とするものである。
【００１５】
請求項９に記載の発明は、請求項１に記載の画像読取装置において、前記重複画像抽出手段及び前記出力画像生成手段は、前記携帯表示端末における表示画像の切替えが全て完了した後に動作することを特徴とするものである。
【００１６】
請求項１０に記載の発明は、請求項１，２，７〜９の何れか一項に記載の画像読取装置において、前記読取制御手段は、前記複数の重複スキャン画像の数に基づいて前記携帯表示端末の表示画像１枚当たりのスキャン回数を検出し、該スキャン回数の検出後、重複画像抽出手段によって前記スキャン回数を超える数の重複スキャン画像が抽出されたタイミングで前記画像読取手段によるスキャンを終了させることを特徴とするものである。
【００１７】
請求項１１に記載の発明は、請求項３に記載の画像読取装置において、前記読取制御手段は、前記スキャン周期の変更後のスキャンによって連続的に得られる２つのスキャン画像が前記重複画像抽出手段により互いに重複していると判断されると、前記画像読取手段によるスキャンを終了させることを特徴とするものである。
【００１８】
請求項１２に記載の発明は、請求項１乃至１１の何れか一項に記載の画像読取装置において、前記読取制御手段は、前記記憶手段にスキャン画像が保存される都度、当該スキャン画像が前記記憶手段に最初に保存された１ページ目のスキャン画像と一致しているか否かを判断し、前記１ページ目のスキャン画像と一致しないスキャン画像の保存が開始された後、前記１ページ目のスキャン画像と一致するスキャン画像が保存されることに伴い、前記画像読取手段によるスキャンを終了させることを特徴とするものである。
【００１９】
請求項１３に記載の発明は、請求項１乃至１２の何れか一項に記載の画像読取装置において、前記重複画像抽出手段は、前記記憶手段に保存された各スキャン画像につき、互いのスキャン画像同士で画像の重複している部分の面積が画像全体に対して占める割合を画像重複度として算出し、該画像重複度に基づいて当該互いのスキャン画像同士が重複しているか否かを判断することを特徴とするものである。
【００２０】
請求項１４に記載の発明は、請求項１乃至１３の何れか一項に記載の画像読取装置において、前記重複画像抽出手段は、前記記憶手段に保存される各スキャン画像が、当該スキャン画像の直前及び直後に読み取られた２つのスキャン画像と画像の重複している部分の面積が画像全体に対して占める割合を第１及び第２の画像重複度としてそれぞれ算出し、前記第１及び第２の画像重複度の和が予め定められた閾値より大きい場合に、当該スキャン画像を破棄することを特徴とするものである。
【００２１】
請求項１５に記載の発明は、携帯表示端末において所定の表示周期で自動的に切り替えられる表示画像を光学的にスキャンして読み取る画像読取手段を備えた画像読取装置の画像読取方法であって、前記画像読取手段のスキャン周期を前記表示周期よりも短い第１の周期に設定して前記画像読取手段に繰り返し前記携帯表示端末の表示画像をスキャンさせるステップと、この読取制御によって前記スキャン周期ごとに得られる複数のスキャン画像を記憶するステップと、記憶される複数のスキャン画像の中から互いに重複する複数の重複スキャン画像を抽出するステップと、抽出される複数の重複スキャン画像の中から１のスキャン画像を選択して出力画像を生成するステップと、を備えることを特徴とするものである。
【発明の効果】
【００２２】
本発明によれば、画像読取手段のスキャン周期を携帯表示端末の表示画像の表示周期よりも短い第１の周期に設定して繰り返し表示画像をスキャンさせ、このスキャンごとに得られる複数のスキャン画像を記憶する。そして、この記憶された複数のスキャン画像の中から互いに重複する複数の重複スキャン画像を抽出し、抽出された複数の重複スキャン画像の中から１のスキャン画像を選択して出力画像を生成する。
【００２３】
これにより、携帯表示端末と画像読取装置とが通信を行う必要がなくなるので、ユーザーに煩雑な操作を課すことなく、携帯表示端末で自動的に切り替えられる各表示画像を１ページずつ取得して漏れのない出力画像を生成することができる。
【図面の簡単な説明】
【００２４】
【図１】本発明に係る画像読取装置の一構成例を示す図である。
【図２】画像読取部の内部構造の一例を示す図である。
【図３】画像読取装置のブロック構成の一例を示す図である。
【図４】携帯表示端末の一例である電子ペーパーの構造模式図である。
【図５】第１の実施形態における表示画像の切替動作と、画像読取モジュールのスキャンタイミングとの関係を示したタイムチャートである。
【図６】図５に示すタイムチャートに、重複スキャン画像の抽出と出力画像の生成の実施時期を付加したタイムチャートである。
【図７】第２の実施形態における読取制御部の処理を示すフローチャートである。
【図８】第３の実施形態における表示画像の切替動作と、画像読取モジュールのスキャンタイミングとの関係を示したタイムチャートである。
【図９】スキャン抜けが発生する状況の説明図である。
【図１０】第４の実施形態における携帯表示端末における表示画像の切替動作と、画像読取モジュールのスキャンタイミングとの関係を示したタイムチャートである。
【図１１】スキャン走行路の往路と復路の双方で画像読み取りが可能な状態を示す図である。
【図１２】スキャン抜けが発生する状況の説明図である。
【図１３】第５の実施形態における携帯表示端末における表示画像の切替動作と、画像読取モジュールのスキャンタイミングとの関係を示したタイムチャートである。
【図１４】第６の実施形態における表示画像の切替動作と、画像読取モジュールのスキャンタイミングとの関係を示したタイムチャートである。
【図１５】第８の実施形態に係る読取制御部の具体的な処理を示すフローチャートである。
【図１６】図５に示すタイムチャートに、重複スキャン画像の抽出及び出力画像の生成の実施時期を付加した第９の実施形態のタイムチャートである。
【図１７】第９の実施形態における読取制御部の処理を示すフローチャートである。
【図１８】第１０の実施形態における携帯表示端末における表示画像の切替動作と、画像読取モジュールのスキャンタイミングとの関係を示したタイムチャートである。
【図１９】第１１の実施形態における携帯表示端末における表示画像の切替動作と、画像読取モジュールのスキャンタイミングとの関係を示したタイムチャートである。
【図２０】携帯表示端末において表示される一連の表示画像に対する読取モジュールのスキャンを終了させる方法の説明図である。
【図２１】表示画像の一部と異なる表示画像の一部とが混在した混合画像の検出方法の説明図である。
【発明を実施するための形態】
【００２５】
以下、本発明に関する好ましい実施形態について図面を参照しつつ詳細に説明する。なお、以下に説明する実施形態において互いに共通する部材には同一符号を付しており、それらについての重複する説明は省略する。
【００２６】
（第１の実施形態）
まず第１の実施形態について説明する。この第１の実施形態では、画像読取装置１の基本機能及び基本動作について説明する。図１は、本発明に係る画像読取装置１の一実施形態（第１の実施形態）を示す図である。本実施形態に係る画像読取装置１は、コピー、スキャナ、プリンタ、ＦＡＸなどの機能を有する複合機であり、他の通信機器との間でネットワークを介した画像データの送受信が可能である。
【００２７】
図１に示すように、画像読取装置１は、最上部に設けられた原稿画像読取部２と、中央部に設けられた画像形成部３と、最下部に設けられた給紙部４とを備えている。また、原稿画像読取部２と画像形成部３との間には出力トレイ５が設けられており、プリンタ機能によって出力される出力用紙が出力トレイ５上に排出されるようになっている。
【００２８】
原稿画像読取部２は、自動原稿搬送部６と画像読取部７とを有している。自動原稿搬送部６は、原稿トレイ８と、搬送ユニット９と、排紙トレイ１０とを有する。自動原稿搬送部６は、原稿トレイ８に載置された原稿を搬送ユニット９によって上から順に１枚ずつ搬送していき、画像読取部７によって画像読み取りが行われた原稿を排紙トレイ１０に排出する。
【００２９】
画像読取部７は、原稿の画像を光学的に読み取って画像データを取得する。自動原稿搬送部６を使用して原稿の画像読み取りを行う場合、画像読取部７は、自動原稿搬送部６と同期した動作を行い、原稿が所定の画像読取位置を通過する際に画像の読み取りを行う。複数枚の原稿が原稿トレイ８にセットされた状態でそれら複数枚の原稿の連続自動読み取りを行う場合、本実施形態では、例えば画像読取部７が１枚の原稿の画像読み取り動作を終了した後に自動原稿搬送部６が次の原稿の搬送を開始する。尚、本実施形態では、原稿画像読取部２が自動原稿搬送部６を有する場合を例示しているが、自動原稿搬送部６を具備しないものであっても構わない。
【００３０】
このような原稿画像読取部２の正面側にはユーザーが操作可能な操作パネル１１が設けられている。操作パネル１１は、複数の操作キーから成る操作部１２と、操作パネル１１を操作するユーザーに対して各種情報を表示する表示部１３とを有している。操作部１２は、ジョブに関する各種設定やジョブの実行などに関するユーザーの操作を受け付けて画像読取装置１に入力する。表示部１３は、ユーザーに対して表示するためのメニューや、ジョブの実行状況、取得した画像に関する情報などを表示する。また、トナー消耗や出力用紙の紙詰まり、或いは給紙用カセットトレイに出力用紙を補給する必要などが生じた場合、表示部１３にはユーザーに各種作業を促すための案内情報なども表示される。
【００３１】
給紙部４は、給紙用カセットトレイ１４，１５，１６を備えており、それぞれの給紙用カセットトレイに対して複数枚の出力用紙を収容しておくことができるようになっている。給紙部４は、装置内部に設けられた搬送機構によって、各給紙用カセットトレイ１４，１５，１６に収容された出力用紙を１枚ずつ取り出して画像形成部３に供給する。
【００３２】
画像形成部３は、例えば入力する画像データに基づいてトナー像を形成し、給紙部４から供給される出力用紙にそのトナー像を転写・定着させることにより画像形成を行う。この画像形成部３は反転機構を備えており、出力用紙に対して両面印刷を行うことが可能である。画像形成部３において画像形成が行われた出力用紙は、装置内部の搬送機構により、上述した出力トレイ５に排出される。画像形成部３は、画像読取部７による画像読み取り動作と並行して、画像を出力用紙に記録可能であり、画像読取装置１において例えばスキャンジョブとプリントジョブとを同時に行うことができるようになっている。
【００３３】
図２は、画像読取部７の内部構造の一例を示す図である。
【００３４】
画像読取部７は、原稿の画像を読み取る画像読取モジュール１７と、画像読取モジュール１７を移動させるためのモータ１８と、モータ１８の駆動力を画像読取モジュール１７に伝達するために設けられたベルトやワイヤなどの駆動伝達部１９とを備えている。また画像読取モジュール１７は、原稿の読取対象面を照明するランプ２０と、原稿の読取対象面からの反射光を受光して光電変換を行うことにより画像データを生成するイメージセンサ２１とを備えている。
【００３５】
本実施形態におけるイメージセンサ２１は、複数の受光素子（画素）が一方向（Ｘ軸方向）に配列されたラインセンサとされている。そして、イメージセンサ２１は、該受光素子の配列方向である主走査方向（Ｘ軸方向）に直交する副走査方向（Ｙ軸方向）に移動可能に構成されている。
【００３６】
原稿画像読取部２は、自動原稿搬送部６の原稿トレイ８にセットされた原稿を自動搬送しつつ該原稿の画像を読み取ることができる。この読取形態を第１の読取形態という。また、原稿画像読取部２は、画像読取部７の原稿面ガラス２２上に載置された原稿に対して、画像読取部７の内部で画像読取モジュール１７を走査させることで、原稿の画像を読み取ることができる。この読取形態を第２の読取形態という。画像読取装置１は、これら第１の読取形態及び第２の読取形態のいずれにおいても同じ画像読取モジュール１７を用いて画像読み取りを行う。本実施形態は、携帯表示端末Ｍにおいて予め設定されている表示周期で自動的に切り替えられて表示される各ページの表示画像を、第２の読取形態で読み取るものである。
【００３７】
第１の読取形態による画像読み取りを行う場合、画像読取部７の内部で画像読取モジュール１７を所定の画像読取位置Ｐ１の直下に移動させ、その位置で静止状態とする。そして、自動原稿搬送部６によって搬送される原稿が画像読取位置Ｐ１を通過する際、読取ガラス２３を介して原稿の読取対象面（原稿下面）をランプ２０で照明しつつ、イメージセンサ２１が主走査方向の１ラインごとに原稿の画像を読み取っていく。そして、原稿後端が画像読取位置Ｐ１を通過すれば読み取り動作が終了し、画像データが生成される。
【００３８】
一方、第２の読取形態による画像読み取りを行う場合、画像読取部７の内部で画像読取モジュール１７をＹ軸方向（副走査方向）に走査させながら、原稿面ガラス２２上に載置された原稿の読取対象面（原稿下面）をランプ２０で照明しつつ、イメージセンサ２１が主走査方向の１ラインごとに原稿の画像を読み取っていく。そして、原稿の読取対象面全体の読み取りが完了すれば、画像データが生成される。
【００３９】
画像読取部７の所定位置には第１及び第２のホームポジションセンサ２４，２５が設けられており、これらのセンサ２４，２５は、画像読取モジュール１７を移動させる際の位置決めのための基準として使用される。第１ホームポジションセンサ２４は、画像読取部７の副走査方向における両端部のうち、読取ガラス２３に近い方の端部に設置されているホームポジションセンサであり、第２ホームポジションセンサ２５は、第１ホームポジションセンサ２４と反対側の端部に設置されているホームポジションセンサである。
【００４０】
第１ホームポジションセンサ２４と画像読取位置Ｐ１との距離Ｄは設計上既知の値である。したがって、第１の読取形態で画像読み取りを行う場合、例えば画像読取モジュール１７を一旦第１ホームポジションセンサ２４による検出位置まで移動させ、その後、画像読取モジュール１７を第１ホームポジションセンサ２４から距離Ｄだけ移動させた位置で停止させることで、画像読取モジュール１７を画像読取位置Ｐ１の直下に配置することができる。
【００４１】
一方、第２の読取形態で画像の読み取りを行う場合、例えば画像読取モジュール１７を一旦第１ホームポジションセンサ２４による検出位置まで移動させ、そこから、画像読取モジュール１７を第２ホームポジションセンサ２５による検出位置まで副走査方向に移動させる。
【００４２】
また、第２の読取形態で画像の読み取りを行う場合に、例えば画像読取モジュール１７を一旦第２ホームポジションセンサ２５による検出位置まで移動させ、そこから、画像読取モジュール１７を第１ホームポジションセンサ２４による検出位置まで副走査方向に移動させることも可能である。すなわち、画像読取モジュール１７は、スキャン走行路の往路と復路との双方で画像読み取りが可能である。
【００４３】
図３は、画像読取装置１のブロック構成の一例を示す図である。
【００４４】
図３に示すように、画像読取装置１は、前述したように、自動原稿搬送部６、画像読取部７、画像形成部３及び操作パネル１１を備えている。また、画像読取装置１は、ネットワークを介して他の通信機器と通信を行うための通信インタフェース（Ｉ／Ｆ）部２６と、ソリッドステートドライブ（ＳＳＤ）等の不揮発性記憶手段で構成される記憶部２７と、ＣＰＵ及びメモリを有する制御部２８とを備えている。記憶部２７は、スキャン動作により得られた画像を記憶する画像記憶部２９を有する。画像読取装置１は、これらの構成要素がデータバスＤＢを介して相互にデータの入出力を行うことができる構成とされている。
【００４５】
以上の構成に加えて、本実施形態に係る画像読取装置１は、図２に示すように、原稿面ガラス２２上に載置される携帯表示端末Ｍにおいて所定の表示周期で自動的に切り替えられる一連の表示画像を、画像読取モジュール１７によって上述した第２の読取形態で順次読み取るための自動スキャンモードを備えており、この自動スキャンモードに設定された場合の動作に特徴を有している。この自動スキャンモードの搭載に伴い、操作パネル１１には、画像読取装置１を当該スキャンモードに設定するためのモード設定ボタン３０が設けられている。
【００４６】
この自動スキャンモードで表示画像が読み取られる携帯表示端末Ｍの一例として、例えば特開２００８−２７１４６２号公報に記載されているような電気泳動現象を用いた電子ペーパーがある。この電子ペーパー１００の構造模式図を図４に示す。
【００４７】
図４に示すように、電子ペーパー１００は、表示画面と平行な面上において例えばマトリックス状に配置された複数の画素電極１０１と、該画素電極１０１に対向する対向電極１０２との間に複数のマイクロカプセル１０３を備えた構成とされている。各マイクロカプセル１０３には、それぞれ例えば白黒２色の顔料粒子１０４が図略のオイルとともに封入されている。一方の色の顔料粒子１０４は正極に帯電した顔料粒子とされ、他方の色の顔料粒子１０４は負極に帯電した顔料粒子とされており、各マイクロカプセル１０３内には、これら２種類の顔料粒子１０４がそれぞれ混入されている。
【００４８】
そして、各画素電極１０１によって表示データ（画像データ）に基づく電場を電極１０１，１０２間の各間隙に形成することにより、各マイクロカプセル１０３内の顔料粒子１０４が、当該マイクロカプセル１０３の位置における電場に応じた形態でオイル中を電気泳動する。これにより、電場に応じて定まる色の顔料粒子１０４がマイクロカプセル１０３内の表示面側に移動する。以上のような原理によって電子ペーパー１００は画像の表示を行う。このように、電子ペーパー１００は、画面が発光するものではないため、画面に表示された画像を画像読取装置１で好適にスキャンすることが可能な携帯表示端末である。
【００４９】
但し、携帯表示端末Ｍは、電子ペーパー１００に限定されるものではない。例えば、スマートフォン、タブレット端末、或いは、モニタ部分が本体に着脱可能なノート型パーソナルコンピュータなども含む。携帯表示端末Ｍが、電子ペーパー１００と異なり画面が発光するタイプの端末である場合、画面に表示された画像を画像読取装置１でスキャンするためには、画像読取モジュール１７のランプ２０による照明動作を行うことなく読取動作を行うのが好ましい。
【００５０】
図３に戻り、制御部２８は、モード設定ボタン３０の操作信号をトリガとしてＣＰＵがメモリに記憶されているプログラムを実行することにより、画像読取モジュール１７に繰り返し携帯表示端末Ｍの表示画像をスキャンさせる読取制御部３１として機能するとともに、後述する重複画像抽出部３２及び出力画像生成部３３として機能する。
【００５１】
本実施形態では、画像読取モジュール１７によるスキャン周期Ｔｓが携帯表示端末Ｍにおける表示画像の表示周期Ｔｄよりも短いスキャン周期（第１の周期）Ｔｓ１に設定されており、この周期Ｔｓ１で画像読取モジュール１７に繰り返し携帯表示端末Ｍの表示画像をスキャンさせる。そのようなスキャン周期Ｔｓの設定は、例えば画像読取モジュール１７のハードウェア能力に応じたスキャン周期の最小値などを自動設定することにより行われる。ただし、これに限られるものではなく、ユーザーが自動スキャンモードを選択したときに、スキャン周期Ｔｓを手動で設定するものであっても構わない。
【００５２】
図５は、第１の実施形態における表示画像の切替動作と、画像読取モジュール１７のスキャンタイミングとの関係を示したタイムチャートである。
【００５３】
携帯表示端末Ｍにおいて自動的に切り替えられる一連の表示画像を自動スキャンモードで画像読取装置１に読み取らせたい場合、ユーザーは、携帯表示端末Ｍの表示画面Ｍａを原稿面ガラス２２に対向させた状態で携帯表示端末Ｍを原稿面ガラス２２上に載置する（図２参照）。
【００５４】
この状態で、モード設定ボタン３０が操作され、且つ、スキャン開始指示が入力されると、図５に示すように、読取制御部３１は、画像読取モジュール１７に繰り返し携帯表示端末Ｍの表示画像に対する読み取りを開始させる。図５は、携帯表示端末Ｍにおける表示画像の表示周期Ｔｄが例えば５（秒）であるのに対し、画像読取モジュール１７のスキャン周期Ｔｓがそれより短い、例えば１．１（秒）に予め設定されており、１ページ目の表示画像の表示が開始されてからしばらくしてスキャンの開始が指示されたというシチュエーションを示している。
【００５５】
図５に示す例では、画像読取モジュール１７によって１．１（秒）ごとにスキャンが行われることにより、各ページの表示画像に対応するスキャン画像が４枚又は５枚得られている。なお、１ページ目の表示画像に対応するスキャン画像の数は、１ページ目の表示画像の表示期間中におけるスキャンの開始タイミングに応じて変化する。
【００５６】
読取制御部３１の読取制御によってスキャンごとに順次得られる複数のスキャン画像は記憶部２７に保存される。そして、重複画像抽出部３２は、記憶部２７に保存される複数のスキャン画像の中から互いに重複する複数の重複スキャン画像を抽出する。図５に示す例では、１ページ目の表示画像について重複スキャン画像が４枚抽出され、２ページ目の表示画像についても重複スキャン画像が４枚抽出される。また３ページ目の表示画像については重複スキャン画像が５枚抽出される。このように重複画像抽出部３２は、携帯表示端末Ｍにおいて同じページの表示画像が表示されているときに読み取った複数のスキャン画像が重複スキャン画像として抽出される。
【００５７】
また、出力画像生成部３３は、重複画像抽出部３２により抽出された複数の重複スキャン画像の中から１のスキャン画像を選択して出力画像を生成する。図５に示す例では、１ページ目の表示画像について抽出された４枚の重複スキャン画像から１枚のスキャン画像が選択され、２ページ目の表示画像について抽出された４枚の重複スキャン画像から１枚のスキャン画像が選択される。このように同じ画像である複数の重複スキャン画像の中から１のスキャン画像を選択していくことにより、出力画像生成部３３は、携帯表示端末Ｍにおいて順次表示される各ページの表示画像に対応するスキャン画像を１枚ずつ抽出するのである。そして、出力画像生成部３３は、各ページの表示画像に対応する１枚ずつのスキャン画像を一つに纏めて出力画像を生成する。これにより、出力画像生成部３３は、携帯表示端末Ｍにおいて表示されるページ数と同じページ数の出力画像を生成することができ、携帯表示端末Ｍにおいて表示される各ページを漏れなく含む出力画像を得ることができる。
【００５８】
以上のように、本実施形態では、画像読取モジュール１７のスキャン周期Ｔｓを携帯表示端末Ｍにおける表示画像の表示周期Ｔｄよりも短い第１の周期Ｔｓ１に設定して画像読取モジュール１７に繰り返し表示画像をスキャンさせる。また、このスキャンごとに得られる複数のスキャン画像を記憶部２７に保存し、保存される複数のスキャン画像の中から互いに重複する複数の重複スキャン画像を抽出する。そして、抽出した複数の重複スキャン画像の中から１のスキャン画像を選択して出力画像を生成する。
【００５９】
これにより、自動スキャンモードにおいては、携帯表示端末Ｍと画像読取装置１とを通信させる必要がなくなるので、ユーザーに通信設定のための煩雑な操作を課すことがなく、しかも携帯表示端末Ｍにおいて自動的に切り替えられる各表示画像を１つずつ抽出して漏れのない出力画像を取得することができる。
【００６０】
以下の各実施形態では、この第１の実施形態で説明した基本機能及び基本動作に対して更に付加することが好ましい付加的機能及び動作について説明する。
【００６１】
（第２の実施形態）
第１の実施形態では、重複スキャン画像の抽出及び出力画像の生成の実施時期を行うタイミングについては特に言及しなかったが、本実施形態では、これらの処理を画像読取モジュール１７によるスキャンと並行して行うようにした形態について説明する。尚、本実施形態およびこれ以降で説明する各実施形態における画像読取装置１のハードウェア構成及び機能構成は、第１の実施形態で説明したものと同様である。
【００６２】
図６は、図５に示すタイムチャートに、重複スキャン画像の抽出と出力画像の生成（図６では、まとめて画像処理と記載している）の実施時期を付加したタイムチャートである。図６に示すように、本実施形態では、重複スキャン画像の抽出及び出力画像の生成を、スキャン周期Ｔｓごとにスキャン画像が得られるたびに行う。すなわち、重複スキャン画像の抽出及び出力画像の生成処理を画像読取モジュール１７によるスキャン動作と並行して行う。
【００６３】
但し、自動スキャンモードによるスキャン開始後、１枚目のスキャン画像が得られた状態では、重複を判断するための他の画像が未だ記憶されていない。そのため、重複スキャン画像の抽出と出力画像の生成処理は、記憶部２７に少なくとも２枚のスキャン画像が保存されてから開始される。
【００６４】
図７は、本実施形態における読取制御部３１の処理を示すフローチャートである。
【００６５】
図７に示すように、前述のように携帯表示端末Ｍが原稿面ガラス２２上に載置された状態で、モード設定ボタン３０が操作され、且つ、スキャン開始指示が入力されると（ステップＳ１でＹＥＳ）、読取制御部３１は、まず、画像読取モジュール１７に携帯表示端末Ｍの表示画像のスキャンを実行させるとともに、図略のタイマーにより計時を開始する（ステップＳ２）。そして、読取制御部３１は、ステップＳ２のスキャンで得られた１枚目のスキャン画像を記憶部２７に保存する（ステップＳ３）。
【００６６】
読取制御部３１は、タイマーがスキャン周期Ｔｓに対応する時間を計時すると（ステップＳ４でＹＥＳ）、画像読取モジュール１７に表示画像のスキャンを実行させるとともに、タイマーの計時時間をリセットした後、再びタイマーで計時を開始する（ステップＳ５）。そして、読取制御部３１は、ステップＳ５のスキャンで得られた２枚目以降のスキャン画像を記憶部２７に保存する（ステップＳ６）。
【００６７】
重複画像抽出部３２は、今回記憶部２７に保存したスキャン画像が、記憶部２７に保存されているスキャン画像と重複しているか否かを判断し（ステップＳ７）、重複していると判断した場合には（ステップＳ７でＹＥＳ）、今回記憶部２７に保存したスキャン画像を記憶部２７から削除する（ステップＳ８）。一方、重複画像抽出部３２は、ステップＳ７において、重複していないと判断した場合には（ステップＳ７でＮＯ）、新規のスキャン画像であるので、ステップＳ８の処理をとばし、その新規のスキャン画像の保存状態を継続させる。
【００６８】
そして、読取制御部３１は、全ての表示画像を読み取ったか否かを判断する（ステップＳ９）。なお、この判断方法については、後の実施形態で詳しく説明する。読取制御部３１は、未だ読み取っていない表示画像があると判断した場合には（ステップＳ９でＮＯ）、ステップＳ４の処理に戻る。一方、全ての表示画像を読み取ったと読取制御部３１が判断すると（ステップＳ９でＹＥＳ）、出力画像生成部３３は、記憶部２７に保存されている各スキャン画像から例えば印刷用の出力画像を生成し、該出力画像に基づく印刷動作を画像形成部３に行わせる（ステップＳ１０）。
【００６９】
以上のように、本実施形態では、記憶部２７に少なくとも２枚のスキャン画像が保存された後に、重複スキャン画像の抽出処理及び出力画像の生成処理を、画像読取モジュール１７によるスキャン動作と並行して行うようにしたので、携帯表示端末Ｍにおいて切り替えられる全ページ分の表示画像のスキャンが完了した後に、重複スキャン画像の抽出処理及び出力画像の生成処理を行う場合に比して出力画像を早く生成することができる。
【００７０】
（第３の実施形態）
第１及び第２の実施形態においては、スキャン開始前に予め第１の周期Ｔｓ１に設定されている画像読取モジュール１７のスキャン周期Ｔｓを変更することなくスキャンを行う場合を例示した。そのため、第１及び第２の実施形態では、画像読取モジュール１７のスキャン周期Ｔｓとして設定される第１の周期Ｔｓ１が携帯表示端末Ｍにおける表示画像の表示周期Ｔｄに対して極めて小さい値である場合、重複スキャン画像が多数生成されることになる。しかし、スキャン画像は、１つの表示画像に対して１つでよいため、重複スキャン画像が多数生成することは、無駄なスキャン動作を行って、電力を浪費していることになる。よって、できるだけ携帯表示端末Ｍにおける表示画像の切替えに同期してスキャンを行うのが好ましい。
【００７１】
ここで、携帯表示端末Ｍの表示周期Ｔｄは、第１の周期Ｔｓ１でスキャンを行うことによって連続的に得られる重複スキャン画像の枚数に基づき推定することができる。例えば、重複スキャン画像の枚数が３枚である場合、表示周期Ｔｄは、スキャン２周期分（２×Ｔｓ）に相当する時間よりも長く、スキャン４周期分（４×Ｔｓ）に相当する時間よりも短い時間であると推定することができる。
【００７２】
そこで、第３の実施形態では、複数の重複スキャン画像の数に基づいて携帯表示端末Ｍにおける表示画像の表示周期Ｔｄの推定値を算出し、該推定値に基づいてスキャン周期Ｔｓを第１の周期Ｔｓ１から第２の周期Ｔｓ２に変更する。以下、具体的に説明する。
【００７３】
図８は、第３の実施形態における表示画像の切替動作と、画像読取モジュール１７のスキャンタイミングとの関係を示したタイムチャートである。
【００７４】
読取制御部３１は、同一の重複スキャン画像の数に基づいて表示周期Ｔｄの推定値を算出する。なお、１ページ目の表示画像に対応する重複スキャン画像の数は、１ページ目の表示画像の表示期間に対するスキャン開始タイミングに応じて変化する。よって、１ページ目の表示画像の枚数は、携帯表示端末Ｍにおける表示周期Ｔｄの推定値の算出に用いないことが好ましい。ここでは、２ページ目の表示画像の枚数を表示周期Ｔｄの推定値の算出に用いるようにしている。ただし、自動スキャンモードによるスキャン開始タイミングが携帯表示端末Ｍにおいて１ページ目の表示画像が表示される前のタイミングである場合には、１ページ目の表示画像を読み取って取得した複数の重複スキャン画像の数に基づいて表示周期Ｔｄの推定値を算出しても良い。
【００７５】
図８に示す例では、２ページ目の表示画像に対するスキャン画像が第１の周期Ｔｓ１で４枚得られている。また、２ページ目の表示画像に対応するスキャン画像を最初に読み取り始めてから、５枚目のスキャン画像で重複しないスキャン画像となり、３ページ目の表示画像を読み取ったスキャン画像に変化している（矢印Ａ参照）。
【００７６】
この場合、読取制御部３１は、携帯表示端末Ｍにおける表示画像の表示周期Ｔｄは、第１の周期Ｔｓ１の３周期分（３×Ｔｓ１）に相当する時間よりも長く、５周期分（５×Ｔｓ１）に相当する時間よりも短い時間の範囲内であると推定できる。したがって、読取制御部３１は、例えば、その範囲内の中間値（４×Ｔｓ１）を、表示周期Ｔｄの推定値として決定する。
【００７７】
読取制御部３１は、この推定値に基づきスキャン周期Ｔｓが推定値に一致するように、スキャン周期Ｔｓを第１の周期Ｔｓ１から第２の周期Ｔｓ２に変更する。すなわち、第２の周期Ｔｓ２は、例えば４×Ｔｓ１となる。図８に示す例では、スキャン開始時の第１の周期Ｔｓ１の４倍のスキャン周期Ｔｓ２に変更されたことを示している。なお、図８において、スキャンのタイムチャートにおいて点線で示されているのは、スキャン周期をＴｓ２に変更せずにＴｓ１のままとした場合のスキャンタイミングを示す。変更前のスキャン周期（第１の周期Ｔｓ１）では３ページ目の表示画像に対して５回のスキャンが行われるところ、スキャン周期Ｔｓが第１の周期Ｔｓ１から第２の周期Ｔｓ２に延長されたことにより、それよりも少ない回数のスキャンで済み、スキャン回数が低減される。
【００７８】
このように、本実施形態では、携帯表示端末Ｍの表示周期Ｔｄを推定し、その推定値に応じたスキャン周期Ｔｓに変更するため、スキャン開始前に予め設定されているスキャン周期Ｔｓ１でスキャンを行うことにより生じ得る重複スキャン画像の数を低減しつつ各表示画像の出力画像を取得することができる。それ故、本実施形態のようにスキャン周期を変更させる制御を行えば、スキャン回数が減ると共に、スキャン画像の重複判定の回数なども減らすことができるので、自動スキャンモードにおける消費電力の低減を図ることができる。なお、上記においては、表示周期Ｔｄの推定範囲の中間値を表示周期Ｔｄの推定値として決定する場合を例示したが、これに限られるものではなく、上記範囲内の任意の値を表示周期Ｔｄの推定値として採用しても良い。スキャン漏れを防止するという観点からは、表示周期Ｔｄの推定値を上記範囲内のできるだけ小さい周期に決定するのが好ましく、上記範囲内の最小値を推定値として採用しても良い。
【００７９】
（第４の実施形態）
複数の重複スキャン画像の数に基づいて携帯表示端末Ｍにおける表示周期Ｔｄを推定する第３の実施形態において、その推定値に基づいてスキャン周期Ｔｓを第２の周期Ｔｓ２に変更すると、実際の表示周期Ｔｄより大きいスキャン周期Ｔｓ２に変更される場合がある。すなわち、表示周期Ｔｄの推定範囲の最小値を表示周期Ｔｄの推定値として採用する場合にはスキャン周期Ｔｓを第２の周期Ｔｓ２に変更しても実際の表示周期Ｔｄより大きくはならないが、表示周期Ｔｄの推定範囲において大きな値を表示周期Ｔｄの推定値として採用すると、第２の周期Ｔｓ２が実際の表示周期Ｔｄよりも大きくなってしまうことがある。スキャン周期Ｔｓが実際の表示周期Ｔｄより大きい第２の周期Ｔｓ２に変更された場合、図９に示すように、或る表示画像（Ｘページ目）の表示前にスキャンが行われ、当該表示画像（Ｘページ目）の表示期間中にはスキャンが行われず、次の表示画像（（Ｘ＋１ページ目））の表示開始後にスキャンが行われるというように、スキャンによる画像読み取りが行われない表示画像が発生し得る。この場合、スキャンされなかった表示画像については出力画像にその画像を含めることができなくなる。
【００８０】
一方、携帯表示端末Ｍにおいて同じ表示画像が表示されている間に、重複したスキャンが行われる回数はなるべく低減することが好ましく、スキャン周期Ｔｓを実際の表示周期Ｔｄになるべく近づけることが望まれる。
【００８１】
本実施形態では、重複スキャン回数をなるべく低減しつつ、上記のようなスキャン抜けの発生を可及的に防止するため、次のような処理を行う。
【００８２】
図１０は、第４の実施形態における表示画像の切替動作と、画像読取モジュール１７のスキャンタイミングとの関係を示したタイムチャートである。
【００８３】
本実施形態の画像読取装置１は、図１１に示すように、画像読取モジュール１７がスキャン走行路の往路と復路の双方で画像読み取りが可能とされている。そして本実施形態の読取制御部３１は、第３の実施形態のようにスキャン周期Ｔｓを第１の周期Ｔｓ１から第２の周期Ｔｓ２に変更した場合、この第２の周期Ｔｓ２に基づく次のスキャンタイミングで画像読取モジュール１７に表示画像の読み取りを行わせるとき、往路スキャンと復路スキャンとの２回のスキャンを連続的に行わせる。
【００８４】
その結果、往復スキャンのそれぞれで得られた２つのスキャン画像同士が互いに重複していない場合、すなわち、往路スキャンで得られたスキャン画像と復路スキャンで得られたスキャン画像とが互いに異なる場合、それら２つのスキャン画像は、往路スキャンと復路スキャンとの間、若しくは、一方のスキャン中に、携帯表示端末Ｍの表示画像が切り替わったことを示す画像となる。
【００８５】
この場合、推定値に基づく第２の周期Ｔｓ２で発生する次の読取タイミングが、表示画像の切替タイミングと略同期していることになる。本実施形態では、このような状態のときに、携帯表示端末Ｍにおける表示画像の表示周期Ｔｄと、画像読取モジュール１７のスキャン周期Ｔｓとが略一致していると判断する。
【００８６】
そして本実施形態では、往路スキャンによって得られる往路スキャン画像と、復路スキャンによって得られる復路スキャン画像とが互いに重複していないときには、携帯表示端末Ｍにおける表示画像の表示周期Ｔｄと、画像読取装置１のスキャン周期Ｔｓ２とは略一致していると判断するので、変更したスキャン周期Ｔｓ２をそのまま維持する。
【００８７】
一方、往復スキャンで得られた２つのスキャン画像同士が互いに重複している場合、当該往復スキャンが、表示画像の切替タイミングではなく、一の表示画像の継続表示中に行われたことが判る。この場合、例えば図１２に示すように、３ページ目の表示画像を読み取ってからスキャン周期Ｔｓを第２の周期Ｔｓ２に変更して次の読取タイミングとなったときに行われる往復スキャンが、依然として３ページ目の表示画像が表示されている期間中に行われる場合（スキャン１）と、次の４ページ目の表示画像が表示されている期間中に行われる場合（スキャン２）とのいずれか一方となる。前者の場合には、第２の周期Ｔｓ２が表示画像の表示周期Ｔｄよりも短いため、スキャン抜けは発生しない。しかし、後者の場合には、第２の周期Ｔｓ２が表示画像の表示周期Ｔｄよりも長くなるため、その後もスキャン周期Ｔｓを第２の周期Ｔｓ２で維持し続けると、後続するいずれかのページでスキャン抜けが発生することになる。
【００８８】
そこで、本実施形態では、図１０の矢印Ｂ，Ｃに示すように、往路スキャン画像と復路スキャン画像とが互いに重複しているときには、一時的にスキャン周期Ｔｓを第２の周期Ｔｓ２よりも所定量短い第３の周期Ｔｓ３に設定する。一時的とは、例えば本実施形態では、次のスキャンのスキャン周期のみである。すなわち、次のスキャンを行うまでのスキャン周期Ｔｓを、第２の周期Ｔｓ２よりも所定量短い第３の周期Ｔｓ３に設定する。ただし、スキャン周期を短くするのは、次のスキャンのみに限られるものではない。
【００８９】
また上述したように往路スキャン画像と復路スキャン画像とが互いに重複している場合であっても、それら往路スキャン画像と復路スキャン画像とが既に記憶部２７に保存されているスキャン画像と同じ画像であれば、それらの往路及び復路スキャン画像は、図１２で示す往復スキャン１のタイミングで読み取られたスキャン画像であり、上述したようにスキャン抜けは生じない。したがって、往路スキャン画像と復路スキャン画像とが互いに重複している場合であっても、それら往路スキャン画像及び復路スキャン画像と一致するスキャン画像が既に記憶部２７に保存されているか否かを判断し、保存されていれば、スキャン周期Ｔｓを第２の周期Ｔｓ２で維持するようにしても良い。この場合、互いに重複する往路スキャン画像及び復路スキャン画像に一致するスキャン画像が記憶部２７に保存されていないときにのみ、スキャン周期Ｔｓが、一時的に第２の周期Ｔｓ２から第３の周期Ｔｓ３に設定変更されるようになる。
【００９０】
本実施形態の読取制御部３１は、一時的にスキャン周期Ｔｓを第２の周期Ｔｓ２よりも短い第３の周期Ｔｓ３に設定変更すると、その第３の周期Ｔｓ３で次のスキャンを行った後には、それ以降のスキャン周期Ｔｓを元の第２の周期Ｔｓ２に戻すように構成される。この場合、スキャン周期Ｔｓを第２の周期Ｔｓ２に戻した後、その第２の周期Ｔｓ２で次のスキャンを行うときには、画像読取モジュール１７に往路スキャンと復路スキャンを連続的に行わせ、往復スキャンで得られた２つのスキャン画像同士が互いに重複しているか否かを判断する。そしてこの判断結果に基づき、スキャン周期Ｔｓを再び第２の周期Ｔｓ２から一時的に第３の周期Ｔｓ３に変更するか否かを判定し、上述した動作を繰り返す。
【００９１】
以上のような処理により、同じ表示画像に対する重複スキャンが行われる回数を低減しつつ、スキャン周期Ｔｓが第１の周期Ｔｓ１から第２の周期Ｔｓ２に変更された後のスキャン周期Ｔｓ２が表示周期Ｔｄより長い値に設定された場合に発生する可能性のあるスキャン抜けを未然に防止することができる。
【００９２】
（第５の実施形態）
第３の実施形態では、複数の重複スキャン画像の数に基づいて携帯表示端末Ｍにおける表示画像の表示周期Ｔｄの推定値を算出し、該推定値に基づいてスキャン周期Ｔｓを第１の周期Ｔｓ１から第２の周期Ｔｓ２に変更するようにした。これに対し、本実施形態では、スキャン周期Ｔｓ間隔で得られる連続する２つのスキャン画像の重複状態に応じて、次回以降のスキャン周期Ｔｓを変更するようにしたものである。
【００９３】
図１３は、第５の実施形態における表示画像の切替動作と、画像読取モジュール１７のスキャンタイミングとの関係を示したタイムチャートである。
【００９４】
図１３に示すように、例えば予め第１の周期Ｔｓ１に設定されているスキャン周期Ｔｓで連続的に得られる２つのスキャン画像が互いに重複している場合、すなわち、同一の表示画像に対して２回のスキャンを行っている場合、同じ表示画像に対して複数回のスキャンを行っていることになり、無駄なスキャンが生じる。
【００９５】
そこで、本実施形態では、このような無駄なスキャンの発生をできるだけ低減するため、図１３に示すように、スキャン周期Ｔｓを第１の周期Ｔｓ１から予め定められた量ΔＴだけ長くして、同じ表示画像に対して複数回のスキャンを行う状態が生じるのを可及的に防止する。図１３では、ΔＴ＝Ｔｓ１とされている。ただし、ΔＴはＴｓ１に限定されるものではない。
【００９６】
一方、スキャン周期Ｔｓ間隔で取得される２つのスキャン画像が重複していない場合、スキャン周期Ｔｓを隔てて行われた２回のスキャンのうち時間的に後のスキャンは、新しく切り替わった表示画像に対して行われた最初（１回目）のスキャンであり、この２回のスキャンは無駄なスキャンではないと判断することができる。この場合、スキャン周期Ｔｓを維持し、次回以降のスキャンを実行する。
【００９７】
以上のように、スキャン周期Ｔｓを隔てて行われた２つのスキャン画像が互いに重複している場合は、スキャン周期Ｔｓを長くすることで、このような無駄なスキャン画像の発生を可及的に防止することができる。
【００９８】
（第６の実施形態）
第５の実施形態では、スキャン周期Ｔｓを隔てて行われた２つのスキャン画像が互いに重複している場合、スキャン周期Ｔｓを長くする。この場合、２つのスキャン画像が互いに重複しているとの判断が続く限り、スキャン周期Ｔｓが長くなり続ける。そして、このスキャン周期Ｔｓが表示周期Ｔｄを超えると、第４の実施形態で述べたようなスキャン抜けが生じ得る。これを防止するため、本実施形態では、次のような処理を行うようにしている。
【００９９】
本実施形態では、画像読取モジュール１７は、副走査方向に沿ったスキャン走行路の往路と復路の双方で画像読み取りが可能とされている。ここで、本実施形態では、読取制御部３１は、スキャン周期Ｔｓを長くした場合、その長くした周期に基づく次のスキャンタイミングで、画像読取モジュール１７に往路スキャンと復路スキャンとを連続的に行わせる。
【０１００】
その結果、往復スキャンで得られたスキャン画像同士が重複していない場合、すなわち、往路スキャンで得られたスキャン画像と復路スキャンで得られたスキャン画像とが異なる場合、携帯表示端末Ｍにおける表示画像の切替タイミングが、連続して行われる往路スキャンと復路スキャンとの間に位置することになる。これは、往路スキャンの行われるタイミングが表示画像の切り替わる直前であることを示している。
【０１０１】
図１４は、第６の実施形態における表示画像の切替動作と、画像読取モジュール１７のスキャンタイミングとの関係を示したタイムチャートである。
【０１０２】
図１４に示すように、本実施形態では、第５の実施形態のようにスキャン周期Ｔｓを長く設定すると、その設定変更後のスキャン周期Ｔｓに基づく次の読取タイミングで画像読取モジュール１７に往路スキャンと復路スキャンとを連続的に行わせる（矢印Ｋ）。そして、往路スキャン画像と復路スキャン画像とが重複する場合は、初期値（第１の周期Ｔｓ１）よりも長く設定されたスキャン周期Ｔｓを所定の長さΔｔだけ一時的に短くする。すなわち、次のスキャンタイミングを一時的に短くしたスキャン周期Ｔｓに基づいて決定し、そのスキャンタイミングで次のスキャン画像を取得する。その後、読取制御部３１は、スキャン周期Ｔｓを一時的に短くする前のスキャン周期Ｔｓに戻す。これ以降は、上記動作の繰り返しとなる。なお、Δｔは、第１の周期Ｔｓ１とすることが一例として考えられるが、Ｔｓ１に限定されるものではない。このような動作により、スキャン周期Ｔｓが表示周期Ｔｄより長い周期に設定された場合でも、そのような長い周期でスキャン動作を継続するのではなく、適当なタイミングで一時的に短い周期を取り入れながら、スキャン動作を行っていくため、携帯表示端末Ｍにおいて表示される表示画像のスキャン漏れを未然に防止することが可能となる。
【０１０３】
尚、図１４の例では、往路スキャン画像と復路スキャン画像とが重複しているときに、初期値（第１の周期Ｔｓ１）よりも長く設定されたスキャン周期Ｔｓを一時的に短くする場合を例示したが、これに限られるものではない。例えば、往路スキャン画像と復路スキャン画像とが互いに重複している場合であっても、それら往路スキャン画像と復路スキャン画像とが既に記憶部２７に保存されているスキャン画像と同じ画像であれば、現在のスキャン周期Ｔｓが表示周期Ｔｄより短い周期であることが判る。そのため、往路スキャン画像と復路スキャン画像とが互いに重複している場合であっても、それら往路スキャン画像及び復路スキャン画像と一致するスキャン画像が既に記憶部２７に保存されているか否かを判断し、保存されていれば、現在のスキャン周期Ｔｓを維持し、一時的にスキャン周期Ｔｓを短くする処理を行わないようにしても良い。すなわち、読取制御部３１は、互いに重複する往路スキャン画像及び復路スキャン画像に一致するスキャン画像が記憶部２７に保存されていないときにのみ、初期値（第１の周期Ｔｓ１）よりも長く設定されたスキャン周期Ｔｓを一時的に短くするようにしても良い。
【０１０４】
（第７の実施形態）
本実施形態は、第４、第６の実施形態と同様、副走査方向に沿ったスキャン走行路の往路と復路の双方で画像読み取りを可能とされており、図１１に示すように、往路スキャンと復路スキャンとを所定のスキャン周期Ｔｓで交互に切り替えて行うようにした形態について説明する。
【０１０５】
記憶部２７に保存するためのスキャン画像を往路スキャンのみで取得する場合、次のスキャンを行うために折り返し画像読取モジュール１７に復路移動させて復帰動作を行うことが無駄な動作となって発生する。これに対し、本実施形態のように、復路移動時にも画像読取モジュール１７にスキャンを行わせるようにすることで、スキャン画像を効率的に得ることができる。なお、本実施形態は、上記他の実施形態にも適用可能である。
【０１０６】
（第８の実施形態）
本実施形態では、第４、第６、第７の実施形態と同様、画像読取モジュール１７を、副走査方向に沿ったスキャン走行路の往路と復路の双方で画像読み取りが可能とされている。一方、第４、第６の実施形態では、スキャン抜けが生じる可能性がある状況を検出するために往復スキャンを行い、第７の実施形態では、往復スキャンで記憶部２７に保存するスキャン画像を得るために行うのに対し、本実施形態では、記憶部２７保存用のスキャンの重複を防止するために行う。
【０１０７】
画像読取モジュール１７は、記憶部２７保存用のスキャン（高解像度スキャン）の他に、高解像度スキャンに比して解像度の低い低解像度スキャンが実行可能とされている。以下、この２つのスキャンを、高解像度スキャン及び低解像度スキャンと称して区別する。これら高解像度スキャン及び低解像度スキャンは、往路及び復路のいずれにおいても実行可能である。
【０１０８】
読取制御部３１は、まず、往路で低解像度スキャンを画像読取モジュール１７に実行させる。これにより、同一のスキャン画像が既に記憶部２７に保存されているか否かの確認を行うためのスキャン画像を取得する。その後、読取制御部３１は、必要に応じて高解像度スキャンを復路で画像読取モジュール１７に実行させる。図１５は、本実施形態に係る読取制御部３１の具体的な処理を示すフローチャートである。
【０１０９】
図１５に示すように、前述のように携帯表示端末Ｍが原稿面ガラス２２上に載置された状態で、モード設定ボタン３０が操作され、且つ、スキャン開始指示が入力されると（ステップＳ２１でＹＥＳ）、読取制御部３１は、往路で低解像度の読み取りを画像読取モジュール１７に実行させる（ステップＳ２２）。そして、読取制御部３１は、この低解像度のスキャン画像に対応する高解像度のスキャン画像が記憶部２７に既に保存されているか否かを判断する（ステップＳ２３）。
【０１１０】
読取制御部３１は、保存されているものが無いと判断すると（ステップＳ２３でＮＯ）、復路で高解像度の読み取りを画像読取モジュール１７に実行させ（ステップＳ２４）、このスキャン画像を記憶部２７に保存する（ステップＳ２５）。一方、読取制御部３１は、当該低解像度のスキャン画像に対応する高解像度のスキャン画像が記憶部２７に保存されていると判断した場合には（ステップＳ２３でＹＥＳ）、ステップＳ２４,Ｓ２５の処理をとばす。
【０１１１】
そして、読取制御部３１は、全ての表示画像を読み取ったか否かを判断する（ステップＳ２６）。なお、この判断方法については、後の実施形態で説明する。読取制御部３１が全ての表示画像を読み取ったと判断すると（ステップＳ２６でＹＥＳ）、出力画像生成部３３は、記憶部２７に保存されている各スキャン画像から例えば印刷用の出力画像を生成し、該出力画像に基づく印刷動作を画像形成部３に行わせる（ステップＳ２７）。
【０１１２】
以上のように、本実施形態では、往路で低解像度のスキャンを画像読取モジュール１７に実行させ、この低解像度のスキャン画像に対応する高解像度のスキャン画像が記憶部２７に保存されていない場合のみ、復路で高解像度のスキャンを画像読取モジュール１７に実行させる。
【０１１３】
これにより、記憶部２７保存用のスキャン（高解像度のスキャン）の回数を低減することができる。低解像度のスキャンは高解像度のスキャンに比して消費電力が小さいため、第１の実施形態に対し、低減できる高解像度のスキャンの回数分だけ低解像度のスキャンが生じるが、それを差し引いても、消費電力を低減することができる。本実施形態は、上記他の実施形態に採用することができる。
【０１１４】
（第９の実施形態）
第２の実施形態では、重複スキャン画像の抽出及び出力画像の生成を、画像読取モジュール１７によるスキャンと並行して行う。これに対し、本実施形態では、重複スキャン画像の抽出及び出力画像の生成を、携帯表示端末Ｍにおける表示画像の切替えが全て完了した後に行うものである。
【０１１５】
図１６は、図５に示すタイムチャートに、重複スキャン画像の抽出及び出力画像の生成の実施時期を付加したタイムチャートである。図１４の矢印Ｄに示すように、本実施形態では、最後の表示画像に対応するスキャン画像が得られた後に、重複スキャン画像の抽出及び出力画像の生成を行う。
【０１１６】
図１７は、本実施形態における読取制御部３１の処理を示すフローチャートである。
【０１１７】
図１７に示すように、前述のように携帯表示端末Ｍが原稿面ガラス２２上に載置された状態で、モード設定ボタン３０が操作され、且つ、スキャン開始指示が入力されると（ステップＳ３１でＹＥＳ）、読取制御部３１は、まず、画像読取モジュール１７に携帯表示端末Ｍの表示画像の読み取りを実行させるとともに、スキャン周期を計測するためのタイマーにより計時を開始する（ステップＳ３２）。そして、読取制御部３１は、ステップＳ３２のスキャンで得られたスキャン画像を記憶部２７に保存する（ステップＳ３３）。
【０１１８】
読取制御部３１は、タイマーがスキャン周期に対応する時間を計時すると（ステップＳ３４でＹＥＳ）、画像読取モジュール１７に携帯表示端末Ｍの表示画像の読み取りを実行させるとともに、タイマーの計時時間をリセットした後、再び計時を開始する（ステップＳ３５）。そして、読取制御部３１は、ステップＳ３５のスキャンで得られたスキャン画像を記憶部２７に保存する（ステップＳ３６）。
【０１１９】
そして、読取制御部３１は、全ての表示画像を読み取ったか否かを判断する（ステップＳ３７）。なお、この判断方法については、後の実施形態で説明する。読取制御部３１が未だ読み取っていない表示画像があると判断した場合には（ステップＳ３７でＮＯ）、ステップＳ３４の処理に戻る。一方、全ての表示画像を読み取ったと読取制御部３１が判断すると（ステップＳ３７でＹＥＳ）、重複画像抽出部３２は、記憶部２７に保存されている複数のスキャン画像の中から互いに重複する複数の重複スキャン画像があるか否かを判断する（ステップＳ３８）。
【０１２０】
重複画像抽出部３２は、互いに重複する複数の重複スキャン画像があると判断すると（ステップＳ３８でＹＥＳ）、それらの重複スキャン画像を抽出し、出力画像生成部３３は、その中から１のスキャン画像を選択して残りの重複スキャン画像を記憶部２７から削除する（ステップＳ３９）。記憶部２７に保存されている抽出後の各スキャン画像から印刷用の出力画像を生成し、該出力画像に基づく印刷動作を画像形成部３に行わせる（ステップＳ４０）。
【０１２１】
以上のように、本実施形態では、重複スキャン画像の抽出及び出力画像の生成を、最後の表示画像に対応するスキャン画像が得られた後に行うようにした。第２の実施形態では、画像読取モジュール１７によるスキャンと並行して重複スキャン画像の抽出及び出力画像の生成を行うことにより、スキャン時における制御部２８の処理負担が大きくなり、スキャンの処理能力が低下する可能性がある。これに対し、本実施形態では、スキャン時における制御部２８の処理負担が軽減され、スキャン速度の低下を回避することができる。
【０１２２】
（第１０の実施形態）
本実施形態では、上記各実施形態において、携帯表示端末Ｍで表示される一連の表示画像に対する画像読取モジュール１７のスキャンをいつ終了させるかについて説明する。
【０１２３】
図１８は、携帯表示端末Ｍにおける表示画像の切替動作と、画像読取モジュール１７のスキャンタイミングとの関係を示したタイムチャートである。
【０１２４】
本実施形態では、表示画像が最終ページに到達すると、ユーザーが画像表示を終了させる入力をしない限り、最終ページを表示し続けるタイプの携帯表示端末Ｍを対象としている。読取制御部３１は、重複スキャン画像の数に基づいて携帯表示端末Ｍの表示画像１枚当たりのスキャン回数を検出する。なお、本実施形態では、一連の表示画像に対するスキャンの終了までスキャン周期を変更しないが、１つの表示画像における表示期間に対するスキャン開始タイミングの前後によって、１つの表示画像に対して得られるスキャン画像の数が表示画像毎に多少の誤差が生じ得る。よって、この場合、読取制御部３１は、検出された表示画像１枚当たりのスキャン回数のうち最大のスキャン回数を検出する。
【０１２５】
このスキャン回数の検出後、読取制御部３１は、重複画像抽出部３２によってスキャン回数を超える数の重複スキャン画像が抽出されたタイミングで画像読取モジュール１７によるスキャンを終了させる。
【０１２６】
図１８は、読取制御部３１は、検出された表示画像１枚当たりのスキャン回数のうち最大のスキャン回数が「５」回と検出された場合を示している。この場合、読取制御部３１は、６枚目の重複スキャン画像が得られると、該重複スキャン画像に対応する表示画像は、一連の表示画像のうち最終ページの表示画像であると判断して、画像形成モジュール１７によるスキャン動作を終了させる。
【０１２７】
このように、本実施形態によれば、検出された表示画像１枚当たりのスキャン回数を超えるスキャン回数が検出された場合に画像形成モジュール１７によるスキャン動作を終了させるという簡単な方法で一連のスキャンを終了させることができる。
【０１２８】
（第１１の実施形態）
本実施形態では、スキャン周期の変更を行う第３の実施形態において、携帯表示端末Ｍにおいて表示される一連の表示画像に対する読取モジュール１７のスキャンを終了させる処理の一例について説明する。図１９は、携帯表示端末Ｍにおける表示画像の切替動作と、画像読取モジュール１７のスキャンタイミングとの関係を示したタイムチャートである。
【０１２９】
図１９に示すように、変更後のスキャン周期Ｔｓに基づくスキャンにより続けて得られる２つのスキャン画像が重複画像抽出部３２により互いに重複していると判断されると、読取制御部３１は、画像読取モジュール１７によるスキャンを終了させる。
【０１３０】
このように、本実施形態によれば、簡単な方法で一連のスキャンを終了させることができる。
【０１３１】
（第１２の実施形態）
本実施形態は、携帯表示端末Ｍにおいて表示される一連の表示画像に対する読取モジュール１７のスキャンを終了させるための一形態を例示するものである。図２０は、携帯表示端末Ｍにおける表示画像の切替動作と、画像読取モジュール１７のスキャンタイミングとの関係を示したタイムチャートである。なお、本実施形態は、上記他の実施形態に採用可能であり、図２０（Ａ）は、スキャン周期を終始一定とするタイプにおける画像読取モジュール１７のスキャンタイミングを示し、図２０（Ｂ）は、第３の実施形態のようにスキャン周期を変更するタイプにおける画像読取モジュール１７のスキャンタイミングを示している。
【０１３２】
本実施形態では、最終ページの表示が終了すると、最初のページの表示に戻るリピート表示機能を有するタイプの携帯表示端末Ｍを対象としている。
【０１３３】
重複画像抽出部３２は、１ページ目のスキャン画像の保存後、記憶部２７にスキャン画像が保存される都度、当該スキャン画像が記憶部２７に最初に保存された１ページ目のスキャン画像と一致しているか否かを判断する。そして、重複画像抽出部３２により一致すると判断されると、読取制御部３１は、画像読取モジュール１７によるスキャンを終了させる。
【０１３４】
本実施形態によれば、スキャン周期の変更後に得られるスキャン画像が、記憶部２７に最初に保存された１ページ目のスキャン画像と一致しているか否かに応じてスキャンを終了させるべきか否かを判断するという簡単な方法で、一連のスキャンを終了させることができる。
【０１３５】
（第１３の実施形態）
本実施形態は、スキャン画像同士が重複しているか否かを判断するための手法を特定した実施形態であり、上記他の実施形態に適用可能である。
【０１３６】
本実施形態では、重複画像抽出部３２は、記憶部２７に保存された各スキャン画像につき、互いのスキャン画像同士で画像の重複している部分の面積が画像全体に対して占める割合を画像重複度として算出する。例えば、互いにスキャン画像同士で重複している部分の面積が「７０」で画像全体を「１００」とすると、重複画像抽出部３２は、画像重複度を「０．７」と算出する。
【０１３７】
そして、重複画像抽出部３２は、算出した画像重複度に基づいて当該互いのスキャン画像同士が重複しているか否かを判断する。具体的には、本実施形態では、画像重複度についての閾値が予め設定されている。重複画像抽出部３２は、算出した画像重複度を閾値との大小を比較し、画像重複度が閾値より大きい場合に、互いのスキャン画像同士が重複していると判断する。
【０１３８】
閾値が例えば「０．６」に設定されている場合、重複画像抽出部３２は、算出された前出の例の画像重複度「０．７」は閾値「０．６」より大きいので、当該スキャン画像同士は重複していると判断する。
【０１３９】
このように、本実施形態によれば、スキャン画像同士の画像重複度を算出し、この画像重複度に基づいて当該スキャン画像同士が重複しているか否かを判断することにより、スキャン画像同士が重複しているか否かを確実に判断することができる。
【０１４０】
（第１４の実施形態）
第１〜第１３の実施形態においては、例えば図２１（ａ）に示すように、画像形成モジュール１７によるスキャンの途中で、携帯表示端末Ｍの表示画像が表示画像Ｇ１から表示画像Ｇ２に切り替わることが考えられる。この場合、表示画像Ｇ１の一部と表示画像Ｇ２の一部とが混在した混合画像Ｇ３が生成される。
【０１４１】
このような混合画像Ｇ３は不要な画像であるため、本実施形態では、該混合画像Ｇ３を検出した場合に、該混合画像Ｇ３を記憶部２７から破棄するようにしたものである。以下、本実施形態について説明する。
【０１４２】
重複画像抽出部３２は、記憶部２７に保存される各スキャン画像が、当該スキャン画像の直前に読み取られたスキャン画像と画像の重複している部分の面積が画像全体に対して占める割合を第１の画像重複度として算出する。
【０１４３】
例えば図２１（ａ）に示すように、着目しているスキャン画像Ｇ３が、当該画像Ｇ３の直前に読み取られたスキャン画像Ｇ１と画像の重複している部分は、図の斜線部分ｗ１となる。今、この斜線部分ｗ１の面積が「３０」、画像全体が「１００」とすると、斜線部分ｗ１の面積が画像全体に対して占める割合は「０．３」となり、重複画像抽出部３２は、この「０．３」を第１の画像重複度として算出する。
【０１４４】
また、重複画像抽出部３２は、記憶部２７に保存される各スキャン画像が、当該スキャン画像の直後に読み取られたスキャン画像と画像の重複している部分の面積が画像全体に対して占める割合を第２の画像重複度としてそれぞれ算出する。
【０１４５】
例えば図２１（ｂ）に示すように、着目している混合画像Ｇ３が、当該画像Ｇ３の直後に読み取られたスキャン画像Ｇ２と画像の重複している部分は、図の斜線部分ｗ２となる。この斜線部分ｗ２の面積が「５５」とすると、斜線部分ｗ２の面積が画像全体に対して占める割合は「０．５５」となり、重複画像抽出部３２は、この「０．５５」を第２の画像重複度として算出する。
【０１４６】
そして、重複画像抽出部３２は、第１の画像重複度と第２の画像重複度との和を算出し、この和が予め定められた閾値より大きいか否かを判断する。図２１（ａ）,（ｂ）に示す前出の例では、重複画像抽出部３２は、第１の画像重複度「０．３」と第２の画像重複度「０．５５」との和「０．８５」を算出する。そして、重複画像抽出部３２は、この和が予め定められた閾値、例えば「０．８」より大きいか否かを判断する。
【０１４７】
出力画像生成部３３は、この重複画像抽出部３２による判断に基づき、当該スキャン画像Ｇ３が混合画像であるか否かを判断し、混合画像であるか否かを判断すると、当該スキャン画像Ｇ３を不要な画像であるとして破棄する。図２１（ａ）,（ｂ）に示す前出の例では、前記の和「０．８５」が閾値「０．８」より大きいので、出力画像生成部３３は、当該スキャン画像を不要な画像であるとして破棄する。
【０１４８】
このように、本実施形態によれば、スキャンの途中で携帯表示端末Ｍの表示画像が切り替わった場合に得られるスキャン画像（混合画像）を記憶部２７から除去することができるとともに、該混合画像であるか否かを簡単な方法で検出することができる。
【０１４９】
（変形例）
以上、本発明に関する好ましい実施形態について説明したが、本発明は上述した内容のものに限られるものではなく、種々の変形例が適用可能である。以下、いくつかの変形例について説明する。
【０１５０】
（１）第１〜第１４の実施形態におけるスキャン開始直後のスキャン周期は、画像読取装置１に予め設定されているデフォルトのスキャン周期としてもよい。或いは、スキャンを開始する前に、ユーザーが操作部１２を用いてスキャン周期を設定できるようにして、その手動設定したスキャン周期を、スキャン開始直後のスキャン周期としてもよい。
【０１５１】
（２）前記各実施形態においては、記憶部２７に保存されるスキャン画像は印刷用として用いたり、画像読取装置１と異なる他の通信機器への送信用として用いたり、或いは、画像読取装置１での保存用として用いたりすることができる。
【符号の説明】
【０１５２】
１      画像読取装置
１７    画像読取モジュール（画像読取手段）
３９    画像記憶部（記憶手段）
３１    読取制御部（読取制御手段）
３２    重複画像抽出部（重複画像抽出手段）
３３    出力画像生成部（出力画像生成手段）
１００  電子ペーパー（携帯表示端末の一例） 
【図１】
2015027013.tif 000003
【図２】
2015027013.tif 000004
【図３】
2015027013.tif 000005
【図４】
2015027013.tif 000006
【図５】
2015027013.tif 000007
【図６】
2015027013.tif 000008
【図７】
2015027013.tif 000009
【図８】
2015027013.tif 000010
【図９】
2015027013.tif 000011
【図１０】
2015027013.tif 000012
【図１１】
2015027013.tif 000013
【図１２】
2015027013.tif 000014
【図１３】
2015027013.tif 000015
【図１４】
2015027013.tif 000016
【図１５】
2015027013.tif 000017
【図１６】
2015027013.tif 000018
【図１７】
2015027013.tif 000019
【図１８】
2015027013.tif 000020
【図１９】
2015027013.tif 000021
【図２０】
2015027013.tif 000022
【図２１】
2015027013.tif 000023